(57)【要約】  【課題】  一種の調節可能なノートパソコン保護ケースを提供する。  【解決手段】  主に台座、移動台、連稈単元及び係動単元を含め、該台座は該ノートパソコンの固定に備え、該移動台にスロットを設け、該連稈単元は第１連稈と第２連稈を含め、該第１連稈に該台座と枢設される第１端面及び該移動台に枢設される第２端面を備え、該第２連稈が該台座と枢設される第３端面及び該移動台のスロットにおいて摺動される第４端面を備え、該係動単元は固定と解除で状態を改変でき、該係動単元が解除状態のとき、該移動台は該連稈単元を介して、該台座との相関位置と角度を改変でき、該係動単元が固定状態のとき、該第１連稈及び該第２連稈と該台座との相関位置を固定し、全体の構造に剛性を持たせる。【選択図】    図１
0003139930.tif 000002
【実用新案登録請求の範囲】
【請求項１】
ノートパソコンを固定するための台座と、
スロットを形成された移動台と、
第１連稈と第２連稈を含み、該第１連稈は該台座に枢設される第１端面及び該移動台に枢設される第２端面を備え、該第２連稈は該台座に枢設される第３端面及び該移動台のスロットにおいて摺動する第４端面を備える連稈単元と、
固定と解除状態にて改変でき、該係動単元が解除状態のとき、該移動台は該連稈単元を介して、該台座との相関位置と角度を改変でき、該係動単元が固定状態のとき、該第１連稈及び該第２連稈と該台座との相関位置を固定することにより、全体の構造に剛性を持たせる係動単元とから構成される、
ノートパソコンに応用できる調節可能なノートパソコン保護ケース。
【請求項２】
該連稈単元の第１連稈に備える第１端面に該第１連稈と同期して回転される第１歯車部を含め、該第２連稈の第３端面も該第２連稈と同期して回転される第２歯車部を含め、該係動単元に第１操縦レバーと第２操縦レバーを備え、該第１操縦レバーに該第２歯車部と契合する第１歯形部を備え、該第２操縦レバーに該第２歯車部と契合する第２歯形部を備え、該係動単元が解除状態のとき、該第１歯形部は該第１連稈の第１歯車部と分離し、該第２歯形部は該第２連稈の第２歯車部と分離して、該係動単元が固定状態のとき、該第１歯形部と該第１連稈の第１歯車部と契合して掛かり合い、該第２歯形部は該第２連稈の第２歯車部と契合して掛かり合うことを特徴とする請求項１記載の調節可能なノートパソコン保護ケース。
【請求項３】
該係動単元はさらに操作キー、第１弾性素子及び第２弾性素子を備え、該操作キーの両側に第１誘導斜面及び第２誘導傾斜面をそれぞれ備え、該第１操縦レバーは該第１歯形部の端面を離れて、該第１誘導傾斜面と接触する第１傾斜面を備え、該第２操縦レバーは該第２歯形部の端面を離れて、該第２誘導傾斜面と接触する第２傾斜面を備え、該第１弾性素子は該第１操縦レバーに接続することにより、該第１傾斜面は常に操作キーの第１誘導傾斜面に接触して、該第２弾性素子は該第２操縦レバーに接続することにより、該第２傾斜面を該操作キーの第２誘導傾斜面に接触、固定状態のとき、操作キーの操作により、該第１誘導傾斜面及び該第２誘導傾斜面を該第１操縦レバーの第１傾斜面及び該第２操縦レバーの第２傾斜面を圧迫することにより、該第１操縦レバーと該第２操縦レバーを該第１連稈及び該第２連稈とそれぞれ掛かり合うことを特徴とする請求項２記載の調節可能なノートパソコン保護ケース。
【請求項４】
該台座に平行して延ばす二つの誘導壁を備え、該第１操縦レバーと該第２操縦レバーは該誘導壁にて移動することを特徴とする請求項３記載の調節可能なノートパソコン保護ケース。
【考案の詳細な説明】
【技術分野】
【０００１】
本考案は調節可能なノートパソコン保護ケース、特に一種の高さと傾斜度合い調節可能なノートパソコン保護ケースに関わるものである。
【背景技術】
【０００２】
通常、ノートパソコンは軽小短薄が要求され、内部の部品はぎっしり詰められて、稼働のときは、かなりの熱エネルギーを発生する。
【考案の開示】
【考案が解決しようとする課題】
【０００３】
そして、卓上おいて使用するとき、その底部は机表面に接触されていることから放熱空間がなく、時間経過後、内部電子部品の寿命に影響を与えてしまい。よって、多くの使用者は外付け式放熱装置などの追加を余儀なくされ、余分な出費となっている。さらに、机上で使用するとき、その高さは使用者の快適な操作位置より低いため、使用者の首部、背中部、腰部痛を引き起すことがある。そのために、机又はノートパソコンの高さを調節必要があり、理想とはいえない。
【０００４】
また、空港、ロビーなどの外出先にノートパソコンを置くための適切な机がないとき、使用者は膝上に置いて使用するしかない。快適な操作姿勢が得られないほか、ノートパソコンの放熱問題を残る。内部電子部品の寿命を短縮するばかりでなく、ノートパソコンの高熱により、使用者の膝部にやけどするなど、不快感を残る。
【０００５】
ノートパソコンの利用角度及び高さを使用者それぞれの姿勢に合わせて調節可能のほか、一定の放熱空間を持つ、一種の調節可能なノートパソコン保護ケースを提供することを本考案の主な目的である。
【課題を解決するための手段】
【０００６】
前記した目的を達成するため、本考案の調節可能なノートパソコン保護ケースは主に、台座、移動台、連稈単元及び係動単元より構成される。該台座は該ノートパソコンの固定に備える。移動台にはスロットが設けられる。連稈単元は第１連稈と第２連稈を含み、該第１連稈に該台座と枢設される第１端面及び該移動台に枢設される第２端面を備え、該第２連稈が該台座と枢設される第３端面及び該移動台のスロットにおいて摺動される第４端面を備える。係動単元は固定と解除で状態を改変でき、該係動単元が解除状態のとき、該移動台は該連稈単元を介して、該台座との相関位置と角度を改変でき、該係動単元が固定状態のとき、該第１連稈及び該第２連稈と該台座との相関位置を固定し、全体の構造に剛性を持たせる。
【考案の効果】
【０００７】
ノートパソコンの利用角度及び高さを使用者それぞれの姿勢に合わせて調節可能のほか、一定の放熱空間を持つ、一種の調節可能なノートパソコン保護ケースを提供する。
【考案を実施するための最良の形態】
【０００８】
前記した目的と特徴を達成するため、本考案で採用する技術手段とその効果について、好ましい実施例と図式と合わせて、以下の通り説明する。
【０００９】
図１から図３に示す通り、本考案の調節可能なノートパソコン保護ケースはノートパソコン５に応用される。主に、台座１、移動台２、連稈単元３及び係動単元４より構成される。
【００１０】
台座１はノートパソコン５の固定に備え、水平方向に平行して延びる二つの誘導壁１１を有する。
【００１１】
移動台２には水平方向に延びるスロット２１が設けられる。
【００１２】
連稈単元３は第１連稈３１と第２連稈３２を備え、第１連稈３１は台座１に枢設される第１端面３１１及び移動台２に枢設される第２端面３１２を備える。第１端面３１１の内部に第１連稈３１と同期して、台座１にて回転する第１歯車部３１３を備える。第２連稈３２は台座１と枢設される第３端面３２１及び台座２のスロット２１にて摺動される第４端面３２２を備える。第３端面３２１は第２連稈３２と同期して、台座１にて回転する第２歯形部３２３を備え、台座１は移動台２に対して相関位置と角度を改変できる。
【００１３】
係動単元４は固定状態と解除状態で改変できる。本実施例において、係動単元４は操作キー４１、第１操縦レバー４２、第２操縦レバー４３、第１弾性素子４４及び第２弾性素子４５を備える。操作キー４１は上下方向に移動可能とし、その両側に第１誘導斜面４１１及び第２誘導斜面４１２を備える。第１操縦レバー４２と第２操縦レバー４３は台座１に備えられた二つの誘導壁１１において水平方向に移動できる。第１操縦レバー４２に第１歯車部３１と３契合する第１歯形部４２１を備え、他端に第１傾斜面４２２が形成される。第１弾性素子４４の両端に第１操縦レバー４２と台座１にそれぞれ接続し、第１操縦レバー４２に操作キー４１への移動力量を与えて、第１傾斜面４２２と操作キー４１の第１誘導傾斜面４１１へ常に接触させる。同じく、第２操縦レバー４３に第２歯車部３２３と契合する第２歯形部４３１を備え、他端に第２傾斜面４３２を形成する。第２弾性素子４５の両端に第２操縦レバー４３と台座１にそれぞれ接続して、第２傾斜面４３２は常に操作キー４１の第２誘導傾斜面４１２に接触させる。
【００１４】
係動単元４が解除状態のとき、操作キー４１は上方位置にあり、第１操縦レバー４２と第２操縦レバー４３とも操作キー４１方向に寄り掛かって、第１歯形部４２１と第１連稈３１の第１歯車部３１３を分離させ、第１歯形部４３１も第２連稈３２の第２歯車部３２３から分離させる。このとき、使用者は台座１と移動台２との相関位置と角度を改変できる。
【００１５】
台座１と移動台２の相関位置を固定するとき、操作キー４１を押すことにより、係動単元４を固定状態にする。このとき、第１誘導傾斜面４１１及び第２誘導傾斜面４１２はそれぞれ第１操縦レバー４２の第１傾斜面４２２と第２操縦レバー４３の第２傾斜面４３２を圧迫することにより、第１操縦レバー４２を第１連稈３１に近づけさせ、第２操縦レバー４３は第２連稈３２に近づけて、第１歯形部４２１と第１連稈３１の第１歯車部３１３と契合して掛かり合あう。一方、第２歯形部４３１は第２連稈３２の第２歯車部３２３と契合して掛かり合って、相対的運動を制止し、第１連稈３１及び第２連稈３２と台座１の相関位置を固定することにより、全体の構造に剛性を持たせる。
【００１６】
前記した本考案の構成により、操作キー４１の位置を制御することにより係動単元４を固定と解除状態に改変し、ノートパソコン５の高さと傾斜度合いを調節して、使用者それぞれの需要に合わせることができる。さらに、図２に示す通り、平置きに収納するとき、台座１の下部は移動台２のため、ノートパソコン５下部に一定の放熱空間を有し、放熱してノートパソコン５の寿命を延長できる。
【００１７】
上記した説明の通り、本考案の調節可能なノートパソコン保護ケースは、上述した構造を有することにより、所期の効果を実現できる。本案の出願までに刊行物の掲載又は公開使用が見当たらない、実用新案特許による新規性、進歩性及び産業利用性に合致するため、法により出願を提示する。ただし、前記した説明は本考案の位置好ましい実施例にすぎない。よって、本考案の精神による単純修正及び等効果変化などは、なお本案の請求範疇に含まれるものことを申し上げる。
【図面の簡単な説明】
【００１８】
【図１】本考案の調節可能なノートパソコン保護ケースの実施例を示す分解概略図である。
【図２】図１に示す実施例のケースを平面置きした状態の外部側面概略図である。
【図３】図１に示す実施例における調節時外部側面概略図である。
【符号の説明】
【００１９】
１    台座
１１    誘導壁
２    移動台
２１    スロット
３    連稈単元
３１    第１連稈
３１１    第１端面
３１２    第２端面
３１３    第１歯車部
３２    第２連稈
３２１    第３端面
３２２    第４端面
３２３    第２歯車部
４    係動単元
４１    操作キー
４１１    第１誘導傾斜面
４１２    第２誘導傾斜面
４２    第１操縦レバー
４２１    第１歯形部
４２２    第１傾斜面
４３    第２操縦レバー
４３１    第２歯形部
４３２    第２傾斜面
４４    第１弾性素子
４５    第２弾性素子
５    ノートパソコン
【図１】
0003139930.tif 000003
【図２】
0003139930.tif 000004
【図３】
0003139930.tif 000005